(57)【要約】  化粧用組成物を製造するための方法であって、a)インクジェットプリンタを使用して、基礎化粧用組成物上に、基礎組成物の厚さの一部のみにわたって含浸させるように選択された量の少なくとも1つの流体組成物をインクジェットプリントする工程、b)含浸させた層を少なくとも1回サンプリングした後に、インクジェットプリントされる流体組成物を任意選択で改変しながら、工程a)を繰り返す工程を含む、方法。
2019500117.tif 000002
【特許請求の範囲】
【請求項１】
化粧用組成物を製造するための方法であって、
a)インクジェットプリンタを使用して、基礎化粧用組成物上に、基礎組成物の厚さの一部のみにわたって含浸させるように選択された量の少なくとも1つの流体組成物をインクジェットプリントする工程、
b)含浸させた層を少なくとも1回サンプリングした後に、インクジェットプリントされる流体組成物を任意選択で改変しながら、工程a)を繰り返す工程
を含む、方法。
【請求項２】
工程a)でプリントされる流体組成物の量が、5mg/cm2以上である、請求項1に記載の方法。
【請求項３】
流体組成物がインクである、請求項1又は2に記載の方法。
【請求項４】
プリントが、多色プリント、特に三色プリント若しくは四色プリント、又は4つを超えるインクを用いたプリントである、請求項3に記載の方法。
【請求項５】
工程a)でプリントされる流体組成物の色味が、工程b)でプリントされる色味と異なる、請求項3又は4に記載の方法。
【請求項６】
流体組成物が、化粧用活性剤及び皮膚科学的活性剤から構成される群から選択される、特に、香料、UV遮蔽剤、保湿剤、結合剤、及びそれらの混合物から選択される、少なくとも1つの化合物を含み、化合物が、組成物の総質量に対して0.1%から40%の間の質量濃度で流体組成物に含有される、請求項1から5のいずれか一項に記載の方法。
【請求項７】
流体組成物が、目に見えるマーカー、例えば色素又は蛍光剤も含み、このマーカーが、ヒトケラチン物質への適用後に目に見えなくなり、前記方法が、場合により、このマーカーを検出して、基礎化粧用組成物に留まる流体組成物の量を決定することを含む、請求項6に記載の方法。
【請求項８】
プリントが、好ましくは1から10の間、より好ましくは1から5の間である、プリントパス数nに従って工程a)で実行される、請求項1から7のいずれか一項に記載の方法。
【請求項９】
プリントされた流体組成物が、電子メモリに保存される、請求項1から8のいずれか一項に記載の方法。
【請求項１０】
工程b)が、保存された流体組成物のプリントを含む、請求項1から9に記載の方法。
【請求項１１】
プリントが、使用者の入力した、特にスクリーン上で選択された、又は特に前記使用者の皮膚で測定された、情報、特に色味の情報に従って実行される、請求項1から10のいずれか一項に記載の方法。
【請求項１２】
基礎組成物が、ファンデーション又は口紅である、請求項1から11のいずれか一項に記載の方法。
【請求項１３】
含浸させた層の減耗に関する情報を生成することで構成される工程を含む、請求項1から12のいずれか一項に記載の方法。
【請求項１４】
含浸させた層が少なくとも部分的に消耗している、基礎組成物の表面部分を修復し、且つ保存することで構成される工程を含む、請求項1から13のいずれか一項に記載の方法。
【請求項１５】
前記表面部分のみを含浸させるように工程b)におけるプリントを実行する、請求項1から14に記載の方法。
【請求項１６】
ヒトケラチン物質をメイクアップするための方法であって、化粧用組成物が、請求項1から15のいずれか一項に記載の方法の工程a)を実行することにより製造され、この組成物をケラチン物質に適用し、工程b)を実行する、方法。
【請求項１７】
プリントされる流体組成物の色味を修正しながら、工程a)を繰り返し、前の色味を用いた適用の結果に従って、プリントされる新たな色味の選択が行われる、請求項1から16に記載の方法。
【請求項１８】
プリントされる流体組成物の色味を保ちながら、工程a)を繰り返し、インクジェットプリントされた量が多くなる、請求項16に記載の方法。
【発明の詳細な説明】
【技術分野】
【０００１】
本発明は、少なくとも1つのインクを組成物にインクジェットプリントすることによる、化粧用組成物の個別の着色に関する。
【背景技術】
【０００２】
多くの化粧料、特にメイクアップ製品には、様々な色合いがある。色合いにかなりの選択肢があっても、所定の状況に適した色合いを見出すことが困難なことがある。この問題を解決するためには多数の色合いを購入することができるが、これは費用のかかる手法であり、製品は場所を取り、また、適切な色合いをどのように見出すかの知識も必要とする。
【０００３】
国際出願WO2015/168524は、基礎化粧用組成物を得、インクジェットプリンタにより、着色組成物でそれを覆うことで構成される方法について記載している。プリンタは、着色インクカートリッジ、また、インク以外の化合物、例えば香料、ワックス又は油を含有するカートリッジを備え得る。プリントは、基礎組成物の表面全体にわたって実行する。基礎組成物は、流動粉末、若しくは圧縮粉末であってもよく、又は液体、例えばクリームであってもよい。
【先行技術文献】
【特許文献】
【０００４】
【特許文献１】WO2015/168524
【特許文献２】US-5 032 670
【特許文献３】US-4 999 418
【特許文献４】US-5 106 942
【特許文献５】US-5 030 708
【特許文献６】US-5 102 980
【特許文献７】US-5 043,376
【特許文献８】US-5 104 913
【特許文献９】US-5 281 659
【特許文献１０】US-5 194 463
【特許文献１１】US-4 804 719
【特許文献１２】WO 92/07913
【特許文献１３】EP 1 048 282
【特許文献１４】FR 2 528 420
【特許文献１５】FR 2 639 347
【特許文献１６】EP 0 669 323
【発明の概要】
【発明が解決しようとする課題】
【０００５】
消費者に実行しやすく、消費者に望ましい周期で、特に毎日、色味又は組成を調整することを可能にする方法が必要である。
【課題を解決するための手段】
【０００６】
方法
したがって、本発明の主題は、一態様によれば、化粧用組成物を製造するための方法であって、
a)インクジェットプリンタを使用して、基礎化粧用組成物上に、基礎組成物の厚さの一部のみにわたって含浸させるように選択された量の少なくとも1つの流体組成物をインクジェットプリントする工程、
b)含浸させた層を少なくとも1回サンプリングした後に、インクジェットプリントされる流体組成物を任意選択で改変しながら、工程a)を繰り返す工程
を含む、方法である。
【０００７】
本発明によって、最初にプリントできる単一の基礎化粧用組成物を使用して、含浸させた層をサンプリングし、次いで、再度プリントして、例えば、基礎組成物が消耗するまで、流体組成物の色味又は配合物を変化させることが可能である。本発明は、皮膚、毛髪又はまつ毛を着色するためのあらゆるメイクアップ製品に適用される。
【０００８】
当然、工程b)は、数回、特に、基礎組成物が消耗するまで繰り返してよい。
【０００９】
基礎組成物は、例えば、プリント中に小型容器に含有され、プリンタは、前記小型容器を収容するのに適したハウジングを有する。
【００１０】
プリントされた流体組成物は、電子メモリに保存できる。この場合、工程b)は、保存された流体組成物の堆積を含み得る。
【００１１】
工程a)及び/又はb)でのプリントは、使用者の入力した、特にスクリーン上で選択された、又は特に前記使用者の皮膚で測定された、流体化合物の情報、特に色味の情報に従って実行できる。
【００１２】
この方法は、含浸させた層の減耗に関する情報を生成することで構成される工程も含んでよい。この情報は、例えば、着色した組成物の観察に基づいて、画像解析により自動的に生成される。
【００１３】
この方法は、含浸させた層が少なくとも部分的に消耗している、基礎組成物の表面部分を修復し、且つ任意選択で保存することで構成される工程を含み得る。この場合、この又はこれらの表面部分のみを含浸させるように工程b)におけるプリントを実行することができる。
【００１４】
この方法は、流体組成物、特に、工程a)及び/又はb)でインクジェットプリントされるインクの色味を選択する際に使用者を補助することで構成される工程を含み得る。
【００１５】
この方法が、プリントの色味を変化させることにより実行される場合、新たな色味の選択は、以前にプリントされた色味に左右されることがある。詳細には、この方法は、プリントにより生成された最後の色味、及びプリンタに利用できるインクに基づき、新たな色味を使用者に提案することで構成される工程を含み得る。したがって、使用者による新たな色味の選択は、留まった組成物上で更にプリントすることにより得られる色味のうちでのみ行われ得る。使用者は、存在する色味を考慮して、望ましい色味が得られない場合は、支持材を置きかえること、及び、新たな基礎組成物を導入することが勧められる。
【００１６】
例えば、基礎組成物が白色であり、最初に赤色のプリントを表面に実行する場合、及び、適用後、その一部が留まり、使用者が色味の修正を望む場合、結果として、プリンタで青色及び黄色のインクが利用できれば、前記使用者に、更に紫色又はオレンジ色の範囲寄りの色合いを活用するよう自動的に提案され得る。一方、使用者が、緑色の色味を望む場合、結果として、これは、新たな白色基礎組成物から始めることが勧められる。
【００１７】
本発明の別の主題は、前述の態様と組み合わせた別の態様によれば、ヒトケラチン物質をメイクアップするための方法であって、化粧用組成物が、上で定義されている方法の工程a)を実行することにより製造され、この組成物をケラチン物質に適用し、工程b)を実行する、方法である。
【００１８】
この方法では、プリントされる流体組成物の色味を修正しながら、工程a)を繰り返すことができ、前の色味を適用した結果に従って、プリントされる新たな色味の選択が行われる。
【００１９】
変形形態として、プリントされる流体組成物の色味を保ちながら、工程a)を繰り返すことができ、インクジェットプリントされる量は多くなる。
【００２０】
基礎化粧用組成物
基礎組成物は、粉状であっても、又は粉状でなくてもよい。
【００２１】
基礎組成物は、白色であっても、又は白色でなくてもよい。
【００２２】
基礎組成物は、圧縮粉末、スティック、ペンシル若しくはフェルトペンの形態であってもよく、又はクリームの形態であってもよい。
【００２３】
基礎組成物は、化粧用組成物に使用される任意の慣例的な化合物を含み得る。
【００２４】
明らかな理由から、こうした組成物の性質及び量の選択は、当業者の能力の範囲内であることは明瞭である。
【００２５】
例えば、組成物は、鉱物粉末、特にタルク、パーライト、マイカ、クレイ、カオリン、エアロゲル、シリカビーズ、ゼオライト及びそれらの混合物を含み得る。
【００２６】
組成物は、粉末状有機化合物、例えばデンプン、小麦粉、ナイロン及びそれらの混合物も含み得る。
【００２７】
組成物は、グリコール又はエステル、例えばカプリリルグリコール、油、例えばジメチコン、有機ポリマー、溶媒及びそれらの混合物も含み得る。
【００２８】
「圧縮粉末」という用語は、製造中に圧縮する又は圧力をかけることにより、少なくとも部分的にまとまりが得られた多数の生成物を意味するよう意図されている。本発明による圧縮粉末は、有利には、特に、Stable Micro Systems社に販売されているTA.XT. plus Texture Analyserテクスチュロメータを使用して測定値を得ることにより、使用されるスピンドルの表面積(この場合は7.07mm2)に対して0.1から2.5kgの間、特に0.2から1.0kgの間の耐圧性を有し得る。この耐性の測定は、SMS P/3平頭円柱状スピンドルを粉末と接触させる際に1.5mmの距離にわたって、また、0.5mm/秒の速度で動かすことにより実施される。
【００２９】
基礎組成物は、ファンデーション、頬紅又は口紅であってよい。本発明による組成物は、好ましくはファンデーションのメイクアップ製品、メイクアップベース、フェイスパウダー、アイシャドウ、コンシーラー製品又は頬紅である。
【００３０】
流体組成物
工程a)でインクジェットプリントされる流体組成物の量は、5mg/cm2以上である。
【００３１】
本発明の目的に関しては、「流体」という記述は、本発明による組成物が固体ではない事実を特徴付けるよう意図されている。換言すれば、それは、流動特性を有するのに十分な流動性を明示する。特に、本発明による組成物は、有利には、周囲温度及び圧力で、100Pa.s未満、好ましくは0.1Pa.sから50Pa.sの間、更に適切には1Pa.sから30Pa.sの間の粘度を有し得、粘度は、詳細には、Rheomat RM100(登録商標)機器を使用して測定される。
【００３２】
インク
詳細な一実施形態では、流体組成物は、化粧用インクである。この場合、基礎化粧用組成物は、所定の色味である。
【００３３】
工程a)でプリントされる流体組成物の色味は、工程b)でプリントされる色味と異なっていてもよい。色味又は色合いのこの変化により、例えば消費者の皮膚の日焼けした色味、又は望ましい別の色味に適合させることが可能である。
【００３４】
工程a)で基礎化粧用組成物にインクジェットプリントされるインクは、有利には、少なくとも50%の質量濃度の水を含む1つ又は複数の水性インクである。インクは、アルコール、例えば1から5個の炭素原子を有する低級モノアルコール、例えばエタノール及びイソプロパノール、2から8個の炭素原子を有するグリコール、例えばエチレングリコール、プロピレングリコール、1,3-ブチレングリコール及びジプロピレングリコール、C3及びC4ケトン、特にアセトン、並びにC2〜C4アルデヒド、並びに例えばエチレングリコール、ペンタエリトリトール、トリメチロールプロパン、プロピレングリコール、1,3-プロパンジオール、ブチレングリコール、イソプレングリコール、ペンチレングリコール、ヘキシレングリコール、グリセロール、ポリグリセロール、例えばグリセロールオリゴマー、例えばジグリセロール、ポリエチレングリコールから選択されるポリオールと、それらの混合物から選択される追加の親水性溶媒を含み得る。
【００３５】
基礎化粧用組成物上にインクジェットプリントされるインクは、有利には、アルコール、例えばプロパノール、エタノール又はブタノール、グリコールエステル、酢酸アルキル、ケトン例えばアセトン又はジアセトンアルコール、及びそれらの混合物を含有するオフセットインク、フレキソ印刷用インク及びグラビア印刷用インクである。
【００３６】
インク、又は各インクは着色剤を含む。着色剤は、インクの総質量に対して、0.01%から60%の範囲、好ましくは0.1%から40%の範囲、又は更に0.1%から30%の範囲、優先的には、0.5%から20%の範囲の質量含有率でインクに存在し得る。
【００３７】
インクは、水溶性色素及び脂溶性色素から選択される1つ又は複数の着色剤を含み得る。
【００３８】
水溶性色素の中では、ポンソーの二ナトリウム塩、アリザリングリーンの二ナトリウム塩、キノリンイエロー、アマランスの三ナトリウム塩、タルトラジンの二ナトリウム塩、ローダミンの一ナトリウム塩、フクシンの二ナトリウム塩、キサントフィル及びメチレンブルーが挙げられ得る。
【００３９】
脂溶性色素の中では、スダンレッドIII(CTFA: D&C Red 17)、ルテイン、キニザリングリーン(CTFA: D&C Green 6)、アリズロールパープルSS(CTFA:D&C Violet 2)、スダンブラウン、D&C Yellow 11、D&C Orange 5、キノリンイエロー、クルクミン及びカロテノイド誘導体、例えばリコペン、ベータカロテン、ビキシン又はカプサンチン、並びにそれらの混合物が挙げられる。着色ポリマーは、一般的に、少なくとも2つの異なるモノマーに基づき、そのうち少なくとも1つがモノマー有機色素のコポリマーである。そのようなポリマー色素は、当業者に公知である。例えば、以下の文書: US-5 032 670;US-4 999 418;US-5 106 942;US-5 030 708;US-5 102 980;US-5 043,376;US-5 104 913;US-5 281 659、US-5 194 463;US-4 804 719;WO 92/07913、あるいはEP 1 048 282が参考文献として挙げられ得る。
【００４０】
本発明によるインクは、美容上許容できる媒体、すなわちケラチン物質、例えば顔又は体の皮膚、唇、毛髪、まつ毛、眉及び爪と適合する媒体を構成する。
【００４１】
インクは、プリントする際に液体であってよく、例えば、25℃にて1mPa.sから500mPa.s、好ましくは1mPa.sから300mPa.sの範囲の粘度を有し得る。
【００４２】
本発明のインクの粘度は、当業者に公知の任意のプロセスに従って、特に、以下の従来のプロセスに従って、測定できる。当業者は、25℃にて、200rpmで回転するスピンドルを備えたRheomat 180粘度計を使用し、粘度を測定するためのスピンドルを、スピンドルM1、M2、M3及びM4から一般的知識に基づいて選択して、測定を実施することができる。
【００４３】
インクは、エマルション形態であってよい。
【００４４】
インクは、Gatocopy食品グレードプリンタ用、特に参照番号A426に販売されているものから選択してよい。
【００４５】
他の流体化合物
流体組成物は、化粧用活性剤及び/又は皮膚科学的活性剤から構成されるリストから選択される少なくとも1つの化合物を含み得る。
【００４６】
本発明における使用に適した活性剤として、特に
-  アンチエイジング剤/抗皺剤、
-  保湿剤(又は湿潤剤)、
-  香料、
-  中和剤
-  皮膚軟化剤、
-  結合剤、特に水溶性ポリマー又はラテックス形態のポリマー、
-  フリーラジカルスカベンジャー
-  合体剤、
-  ビタミン
-  遮蔽剤、特に日焼け止め、
-  抗汚染剤及び/又はフリーラジカルスカベンジャー、
-  微小循環に対する作用剤、
-  細胞のエネルギー代謝に対する作用剤、
-  ヒアルロン酸、
-  抗糖化剤、
-  NOシンターゼ阻害剤、
-  真皮若しくは表皮高分子の合成を刺激する、及び/又はそれらの分解を防止する作用剤、
-  線維芽細胞及び/若しくはケラチノサイトの増殖を刺激する、又はケラチノサイト分化を刺激する作用剤、
-  筋弛緩薬[皮膚弛緩剤及び/又は皮膚収縮防止剤]、
-  等張化剤、
-  落屑剤
-  脱色素沈着剤(depigmenting agent)又は色素沈着促進剤(propigmenting agents)、
-  抗脂漏剤及び抗アクネ菌(P. acnes)活性剤、
-  抗酸化剤及びフリーラジカルスカベンジャー、
-  サッカリド、
-  オリゴ糖、加水分解又は非加水分解、及び変性又は非変性ポリサッカリド、
-  アミノ酸、オリゴペプチド、ペプチド、加水分解又は非加水分解、及び変性又は非修飾タンパク質、ポリアミノ酸、酵素、
-  動物、植物又は鉱物ワックス、
-  セラミド及び疑似セラミド、
-  ヒドロキシル化有機酸、
-  可溶性又は分散アニオン性ポリマー、
-  可溶性又は分散非イオン性ポリマー、
-  鎮静剤、及び
-  それらの混合物が挙げられ得る。
【００４７】
流体組成物は、特に、香料、UV遮蔽剤、保湿剤、結合剤、及びそれらの混合物から選択される少なくとも1つの化合物を含み得る。
【００４８】
化粧用活性剤及び/又は皮膚科学的活性剤の量は、明らかに、活性剤の性質及び望ましい効果に依存しているが、前記活性剤は、一般的に、組成物の総質量に対して、0.1質量%から40質量%を表す。
【００４９】
香料として化合物を用いる場合、香料は、水溶性であっても、又は疎水性であってもよく、且つ解凝固させてよい。
【００５０】
UV遮蔽剤として、特に、水溶性UV遮蔽剤、脂溶性UV遮蔽剤、不溶性UV遮蔽剤及びそれらの混合物から選択されるものが挙げられ得る。これらのUV遮蔽剤のうち、水溶性有機遮蔽剤、脂溶性有機遮蔽剤、不溶性有機遮蔽剤及び無機遮蔽剤の間には違いが生じ得る。
【００５１】
水溶性UV遮蔽剤又は無機UV遮蔽剤が好ましい。
【００５２】
本発明に従って使用できる水溶性有機UVA遮蔽剤のうち、特許出願FR 2 528 420及び同FR 2 639 347に詳細に記載されているベンゼン-1,4-ジ(3-メチリデン-10-カンファースルホン)酸(INCI名:テレフタリリデンジカンファースルホン酸)及び様々なその塩、スルホン酸基を含む少なくとも2つのベンゾアゾリル基を含む化合物、例えば特許出願EP 0 669 323に記載されているもの、並びに少なくとも1つのスルホン酸官能基を含む、ベンゾフェノン化合物が挙げられ得る。
【００５３】
水溶性有機UVB遮蔽剤は、特に、水溶性ケイ皮誘導体、例えばフェルラ酸又は3-メトキシ-4-ヒドロキシケイ皮酸;水溶性ベンジリデンカンファー化合物;水溶性フェニルベンズイミダゾール化合物;水溶性p-アミノ安息香酸(PABA)化合物、及び水溶性サリチル酸化合物から選択される。
【００５４】
本発明に従って使用される無機UV遮蔽剤は、酸化金属顔料である。これらは、特に、酸化チタン、酸化亜鉛、酸化鉄、酸化ジルコニウム及び酸化セリウム、又はそれらの混合物から選択され得る。
【００５５】
本発明によれば、特に分散体中の二酸化チタン顔料が特に好ましい。
【００５６】
「保湿剤」又は「湿潤剤」という用語は、以下を意味するよう意図されている:
-  角質層の水和を維持する目的で、バリア機能に対して作用する化合物、若しくはそれを閉塞する化合物。セラミド、スフィンゴイド系化合物、レシチン、グリコスフィンゴ脂質、リン脂質、コレステロール及びそれらの誘導体、植物ステロール(スチグマステロール、β-シトステロール、カンペステロール)、必須脂肪酸、1,2-ジアシルグリセロール、4-クロマノン、五環トリテルペン、例えばウルソール酸、ワセリン及びラノリンが挙げられ得る;
-  又は、角質層の水の含有量を直接的に増加させる化合物、例えば、トレハロース及びその誘導体、ヒアルロン酸及びその誘導体、グリセロール、ペンタンジオール、ナトリウムピドラート、セリン、キシリトール、乳酸ナトリウム、ポリ(酢酸グリセリル)、エクトイン及びそれらの誘導体、キトサン、オリゴ糖及びポリサッカリド、環状カーボネート、N-ラウロイルピロリドンカルボン酸、並びにN-α-ベンゾイル-L-アルギニン;
-  又は、皮脂腺を活性化する化合物、例えばステロイド誘導体(DHEA、その7-酸化及び/若しくは17-アルキル化誘導体、並びにサポゲニンを含む)、ジヒドロジャスモン酸メチルと、ビタミンD及びそれらの誘導体。
【００５７】
本発明によれば、グリコール、特にグリセロールが保湿剤として特に好ましい。
【００５８】
化合物が水溶性ポリマーである場合で化合物は、アクリレートコポリマー、メタクリレート、ポリエステル及びポリウレタンから構成される群から選択され得る。
【００５９】
流体組成物は、目に見えるマーカー、例えば色素又は蛍光剤も含んでよく、このマーカーは、場合により、ヒトケラチン物質への適用後に目に見えなくなる。これにより、消費者に対して、化粧用組成物における流体組成物の消耗を、この方法の工程b)を実行するための指標として視覚化することが可能になる。この方法は、特に組成物の表面で、このマーカーを検出して、例えば基礎化粧用組成物に留まる流体組成物の量を決定することを含み得る。次いで、この方法は、この検出の結果に応じて、少なくとも1つの所定の工程を実行することで構成される工程を含み得る。例えば、マーカーがもはや十分な量で検出されない場合、工程b)のやり直しが使用者に提案され得る、又は更に自動的に実行され得る。
【００６０】
インクジェットプリンタ
使用されるプリンタは、デジタルタイプのものである。「デジタルプリンタ」という用語は、字枠(printing form)を含む機械とは異なり、デジタルデータを使用して、ピクセル形態でプリントするための機械を意味するよう意図されている。プリンタは、インクジェットプリンタ、例えば感熱又は圧電プリンタである。
【００６１】
プリンタは、平坦ではない物体へのプリントを可能にするGatocopy A426マシンタイプの食品グレードインクジェットプリンタであってよい。
【００６２】
工程a)におけるプリントは、プリントパス数nに従って実行でき、nは1超である。プリントパス数が多いほど、堆積させる流体組成物の量は多くなる。プリントパス数が多いほど、基礎組成物への拡散深度は深くなる、すなわち含浸させた層は厚くなる。当然、拡散深度も、基礎組成物の性質及び流体組成物の性質に依存している。工程a)は、含浸させた層が、1mm未満の厚さ、よりいっそう適切には0.5mm未満の厚さであるような手段で実行できる。
【００６３】
プリント後の考えられるサンプリングの回数も、プリントパス数nに依存している。様々な色合いを試験するために、この方法を実行する場合、工程a)において、所定のインクの色味で、例えば10以下、特に5以下の少ないプリントパス数を実行することが可能であり、それにより、使用者が、試したばかりの色合いを保つこと、及びこの色合いを有するインクをより多い量で有することを望む場合、例えば別のインクの色味で、又はより多い量のインクで、この方法の工程b)に従って更にプリントする前に、色合いを試験するための組成物のサンプリングを1回のみとすることができる。
【００６４】
流体組成物がインクである場合、プリントは、いくつかの異なるインク、特に異なる色味のインクを使用できる。この方法の工程a)で実行されるプリントは、多色プリント、特に三色プリント若しくは四色プリント、又は4つを超えるインクを用いたプリントであってよい。プリントは、原色に相当する着色インクのみを使用できる。変形形態として、プリントは、原色に相当する着色インク、及び、原色に相当しない少なくとも1つのインクの両方を使用する。ある変形形態では、プリントは、黒色及び/又は白色の着色インクを使用できる。
【００６５】
サンプリング
組成物のサンプリングは、工程a)又はb)後に、指で、又は道具、例えば化粧品アプリケーターを使用して実行できる。
【００６６】
本発明は、以下のその限定されない実施例の記述を読むことにより、また以下の添付図面を参照することにより、より深く理解できる。
【図面の簡単な説明】
【００６７】
【図１】本発明による方法の例の様々な工程を図示する図である。
【図２】本発明による方法の別の例の様々な工程を図示する図である。
【図３】本発明による方法に従ってのプリント後における、基礎組成物の断面を部分的に示す写真である。
【発明を実施するための形態】
【００６８】
図1に例証したように、本発明による化粧用組成物を製造するための方法の例は、少なくとも1つの流体組成物を基礎化粧用組成物にプリントして、基礎組成物の厚さの一部のみにわたって含浸させた層を形成することで構成される第1の工程1を含む。流体組成物は、例えばインクである。次いで第2の工程2では、含浸させた層が少なくとも部分的に減耗するまで、少なくとも1つの試料が採取される。使用者による、各サンプリングにおけるサンプリングした量に応じて、及び含浸させた層の厚さに応じて、1回又は複数回のサンプリングを行ってよい。
【００６９】
第3の工程3では、使用者は、同一の流体組成物、特に同一のインクで工程1を繰り返す。工程2のサンプリング後、工程3を繰り返してよい。
【００７０】
本発明による方法の別の例が例証されている図2の例では、第1の、及び第2の工程1及び2は、同一である。4と呼ばれる最後の工程は、異なる流体組成物、例えば異なる色味のインクが、基礎組成物にプリントされるという点で異なる。工程4及び2は、例えばプリントされる新たな色味のインクで各回連続して繰り返してよい。
【００７１】
流体組成物が含浸した層の厚さを測定するための試験
本発明による方法の工程a)に従ってプリントを実行した後で、流体組成物が含浸した化粧用組成物は、24時間置いて乾燥させた。横断面は、化粧用組成物のブロックに、ナイフを使用して切断した。二等分の片方を除き、薄片の写真を撮った。小型容器が存在するので、薄片によって正確に測定するのは不可能なことに留意すべきである。したがって、図3で見られる写真は、この例においては、45°に等しい角度αで撮影されており、これにより、測定した厚さが、係数1/cos(α)、すなわち角度が45°である場合は2により、補正される。
【００７２】
較正チャート及び画像解析ソフトウェアによって、流体組成物の浸透深さ、したがって、流体組成物が含浸した層の厚さLが、そこから抽出される。
【００７３】
MX-macro Z VI対物レンズを備えたHiROX社KH 8700ビデオ顕微鏡で、及び、所有のソフトウェアを使用して作業を実行する。
【実施例】
【００７４】
(実施例1)
以下の配合物を調製する:
【００７５】
【表１】
2019500117.tif 000003
【００７６】
化合物のそれぞれを計量する。次いで、化合物をBaker社のミル(Baker mill)(パドル:3000回転/分;モータ2700回転/分)で粉砕し:フィラー及び顔料を5分間混合し、次いで、真珠層を添加し、5分間混合し、最後に結合剤を5分間添加する。得られた粉末を水中に希釈する。水の量は、組成物の総質量に対して40質量%である。得られた溶液を、35mm×50mmの型の小型容器中に注ぎ[小型容器(5×3.5cm)の参照番号:H250G、小型容器内の量:8から10gの間)、指圧(圧力: 60から80daN、プレッシングネットタイプ(pressing net type)のスクリーン剤(スクリーンタイプ: 3通りの厚さのRimini 150)を配置することによる]を使用して軽く圧力をかける。少なくとも8時間、この実施例では45℃にて24時間置いて乾燥させながら、換気する。
【００７７】
白色に着色した圧縮粉末が得られる。
【００７８】
圧縮粉末の形態で小型容器に含有された、白色に着色した3つの基礎組成物を、Gatocopyインクジェットプリンタ内に導入する。プリントが市場に出される場合、この実施例のインクに存在する流体組成物は、基礎組成物に、及び前記組成物のみに付着するように、これらの位置に注意する。
【００７９】
使用されるインクは:(製造者=Lesepidado社):
-  インク、Epson EU社/MEマゼンタ(参照番号: ART.76304000)
-  インク、Epson EU社/MEシアン(参照番号: ART.76304002)
-  インク、Epson EU社/MEイエロー(参照番号: ART.76304001)
-  インク、Epson EU社/MEライトマゼンタ(参照番号: ART.76304006)
-  インク、Epson EU社/MEライトシアン(参照番号: ART.76304004)である。
【００８０】
次いで、最初の3つから選択された3つの色味を有するプリントを、パス数5回で各自に実行する。
【００８１】
遅延なく使用可能な所望の色味の含浸させた層をそれぞれ含む化粧用組成物が得られる。指又は道具で色味をサンプリングすることによりメイクアップを塗ることが可能である。
【００８２】
5回使用した後で、十分にサンプリングした含浸させた層が減耗するため、組成物は再度白くなる。
【００８３】
次いで、新たな色味を有する更なるプリントを実行する。
【００８４】
(実施例2)
方法を実施例1のように実行するが、以下の違いがあり、最初の5回使用した後で、
-  減耗した区域を検出し、記録する、
-  プリンタを、減耗した区域のみにプリントするようにプログラムする、及び、
-  プリンタを、減耗した区域に、元来使用されたものと同一の色味をプリントするように制御する。
【００８５】
(実施例3)
この方法を、実施例1の後に、以下の手段で実行する:
-  使用者による各サンプリングで引き起こされる減耗を判定し、記録する。これを行うために、化粧用組成物の前後で計量し、1回のサンプリングにより平均で得られる量をそこから推定することにより、サンプリング試験を実行する;
-  使用者が行うよう望む使用回数が要求される;
-  使用により引き起こされる減耗を考慮に入れ、この方法の工程a)で含浸させた層の厚さが、そこから推定される;
-  次いで、実行されるプリントパス数がそこから推定される。
【００８６】
別の実施例では、「ライト」インク(インク、Epson EU社/MEライトマゼンタ(参照番号: ART.76304006)及びインク、Epson EU社/MEライトシアン(参照番号: ART.76304004)から選択されるインクで、類似した試験を実行する。減耗が到達しているかどうかを決定することは困難である(色味はさほど微細ではない)が、サンプリングした量は、使用者に、再度プリントに着手しなければならないという通知の根拠として使用される。
【図１】
2019500117.tif 000004
【図２】
2019500117.tif 000005
【図３】
2019500117.tif 000006
【手続補正書】
【提出日】平成30年7月31日(2018.7.31)
【手続補正１】
【補正対象書類名】特許請求の範囲
【補正対象項目名】全文
【補正方法】変更
【補正の内容】
【特許請求の範囲】
【請求項１】
化粧用組成物を製造するための方法であって、
a)インクジェットプリンタを使用して、基礎化粧用組成物上に、基礎組成物の厚さの一部のみにわたって含浸させるように選択された量の少なくとも1つの流体組成物をインクジェットプリントする工程、
b)含浸させた層を少なくとも1回サンプリングした後に、インクジェットプリントされる流体組成物を任意選択で改変しながら、工程a)を繰り返す工程
を含む、方法。
【請求項２】
工程a)でプリントされる流体組成物の量が、5mg/cm2以上である、請求項1に記載の方法。
【請求項３】
流体組成物がインクであり、プリントが、好ましくは、多色プリント、特に三色プリント若しくは四色プリント、又は4つを超えるインクを用いたプリントである、請求項1又は2に記載の方法。
【請求項４】
工程a)でプリントされる流体組成物の色味が、工程b)でプリントされる色味と異なる、請求項3に記載の方法。
【請求項５】
流体組成物が、化粧用活性剤及び皮膚科学的活性剤から構成される群から選択される、特に、香料、UV遮蔽剤、保湿剤、結合剤、及びそれらの混合物から選択される、少なくとも1つの化合物を含み、化合物が、組成物の総質量に対して0.1%から40%の間の質量濃度で流体組成物に含有され、流体組成物が、好ましくは、目に見えるマーカー、例えば色素又は蛍光剤も含み、このマーカーが、ヒトケラチン物質への適用後に目に見えなくなり、前記方法が、場合により、このマーカーを検出して、基礎化粧用組成物に留まる流体組成物の量を決定することを含む、請求項1から4のいずれか一項に記載の方法。
【請求項６】
プリントが、好ましくは1から10の間、より好ましくは1から5の間である、プリントパス数nに従って工程a)で実行される、請求項1から5のいずれか一項に記載の方法。
【請求項７】
プリントされた流体組成物が、電子メモリに保存され、工程b)が、好ましくは、保存された流体組成物のプリントを含む、請求項1から6のいずれか一項に記載の方法。
【請求項８】
プリントが、使用者の入力した、特にスクリーン上で選択された、又は特に前記使用者の皮膚で測定された、情報、特に色味の情報に従って実行される、請求項1から7のいずれか一項に記載の方法。
【請求項９】
基礎組成物が、ファンデーション又は口紅である、請求項1から8のいずれか一項に記載の方法。
【請求項１０】
含浸させた層の減耗に関する情報を生成することで構成される工程を含む、請求項1から9のいずれか一項に記載の方法。
【請求項１１】
含浸させた層が少なくとも部分的に消耗している、基礎組成物の表面部分を修復し、且つ保存することで構成される工程を含む、請求項1から10のいずれか一項に記載の方法。
【請求項１２】
前記表面部分のみを含浸させるように工程b)におけるプリントを実行する、請求項1から11に記載の方法。
【請求項１３】
ヒトケラチン物質をメイクアップするための方法であって、化粧用組成物が、請求項1から12のいずれか一項に記載の方法の工程a)を実行することにより製造され、この組成物をケラチン物質に適用し、工程b)を実行する、方法。
【請求項１４】
プリントされる流体組成物の色味を修正しながら、工程a)を繰り返し、前の色味を用いた適用の結果に従って、プリントされる新たな色味の選択が行われる、請求項1から13に記載の方法。
【請求項１５】
プリントされる流体組成物の色味を保ちながら、工程a)を繰り返し、インクジェットプリントされた量が多くなる、請求項13に記載の方法。
【国際調査報告】
2019500117.tif 000007
2019500117.tif 000008
2019500117.tif 000009